(57)【要約】【課題】プロジェクターを休止した際に、ユーザーが戸惑うことのないプロジェクターを提供する。【解決手段】プロジェクター１は、画像情報に基づく画像を投写する画像投写部１０と、周辺照度を検出する照度検出部２２と、画像情報を保持する画像保持部（画像処理部３３、フレームメモリー３３ａ）と、画像情報に対して画像処理を施す画像処理部３３と、操作受付部（操作パネル２１）と、制御部２０と、を有し、制御部２０は、所定の操作を受け付けると、画像情報を保持画像情報として画像保持部に保持させて、周辺照度が所定の照度以上の場合には、保持画像情報に応じた第１の画像を投写させ、周辺照度が所定の照度未満の場合には、画像処理部３３に、保持画像情報を含んで且つ保持画像情報よりも輝度が高い第２の画像情報を生成させ、第２の画像情報に応じた第２の画像を投写させる。【選択図】図２
2013246286.tif 000002
【特許請求の範囲】
【請求項１】
画像情報に応じて画像を投写するプロジェクターであって、
前記画像情報に基づく画像を投写する画像投写部と、
前記プロジェクターの周辺照度を検出する照度検出部と、
前記画像情報を保持する画像保持部と、
前記画像情報に対して画像処理を施す画像処理部と、
操作を受け付ける操作受付部と、
制御部と、
を有し、
前記制御部は、前記操作受付部が所定の操作を受け付けると、
前記所定の操作を受け付けた際の前記画像情報を保持画像情報として前記画像保持部に保持させて、
前記照度検出部が検出した周辺照度が所定の照度以上の場合には、前記保持画像情報に応じた第１の画像を画像投写部に投写させ、
前記周辺照度が前記所定の照度未満の場合には、前記画像処理部に、前記保持画像情報を含んで且つ前記保持画像情報よりも輝度が高い第２の画像情報を生成させ、当該第２の画像情報に応じた第２の画像を画像投写部に投写させることを特徴とするプロジェクター。
【請求項２】
請求項１に記載のプロジェクターであって、
前記第２の画像情報には、前記保持画像情報が縮小されて含まれていることを特徴とするプロジェクター。
【請求項３】
請求項１または２に記載のプロジェクターであって、
前記制御部は、前記第１の画像を投写している状態において、前記照度検出部が検出した周辺照度が前記所定の照度未満となった場合、前記第１の画像に替えて前記第２の画像を画像投写部に投写させ、前記第２の画像を投写している状態において、前記照度検出部が検出した周辺照度が前記所定の照度以上となった場合、前記第２の画像に替えて前記第１の画像を画像投写部に投写させることを特徴とするプロジェクター。
【請求項４】
請求項１乃至３のいずれか一項に記載のプロジェクターであって、
前記第１の画像および前記第２の画像には、休止中である旨を表す画像が含まれていることを特徴とするプロジェクター。
【請求項５】
請求項１乃至４のいずれか一項に記載のプロジェクターであって、
記憶媒体に記憶された画像情報を再生する記憶媒体再生部をさらに有し、
前記プロジェクターは、前記記憶媒体再生部によって再生された前記画像情報に基づく画像を投写することを特徴とするプロジェクター。
【請求項６】
プロジェクターの周辺照度を検出する照度検出部と、画像情報を保持する画像保持部と、操作を受け付ける操作受付部と、を有し、前記画像情報に応じて画像を投写するプロジェクターの制御方法であって、
前記操作受付部によって、所定の操作を受け付ける操作受付ステップと、
前記操作受付ステップによって、前記所定の操作を受け付けた際の前記画像情報を保持画像情報として前記画像保持部に保持する画像保持ステップと、
前記画像保持ステップの後に、前記照度検出部が検出した周辺照度が所定の照度以上の場合に、前記保持画像情報に応じた第１の画像を投写する第１投写ステップと、
前記画像保持ステップの後に、前記照度検出部が検出した前記周辺照度が前記所定の照度未満の場合に、前記保持画像情報を含んで且つ前記保持画像情報よりも輝度が高い第２の画像情報を生成させる画像処理ステップと、
前記画像処理ステップによって生成された前記第２の画像情報に応じた第２の画像を投写する第２投写ステップと、
を備えることを特徴とするプロジェクターの制御方法。
【発明の詳細な説明】
【技術分野】
【０００１】
本発明は、プロジェクター、およびプロジェクターの制御方法に関する。
【背景技術】
【０００２】
プロジェクターを用いてビデオ上映やプレゼンテーション等を行っている途中で、休憩などのために一時的な休止をしたい場合があった。従来のプロジェクターには、プロジェクターの投写を一時停止するためのミュート機能が備わっているものがあった。しかし、このミュート機能では、投写画像の全画面が黒色の画像（全黒画像）になってしまうため、部屋の照明を消灯している場合には、部屋全体が暗くなってしまい、ユーザーや視聴者が困ることがあった。
【０００３】
そこで、プロジェクターの投写を一時停止するための休止操作がなされたときに、投写画像を、全画面が白色無地の画像（全白画像）にするプロジェクターが知られている。このようなプロジェクターでは、投写光（画像光）を照明として使うことができるため、ユーザーや視聴者が休憩をする際に有益であった。また、画像再生を停止した際に、停止中である旨を示す案内画像を、予め設定された照明を兼ねる所定の明度で投写させるプロジェクターが開示されている（特許文献１）。
【先行技術文献】
【特許文献】
【０００４】
【特許文献１】特開２００５−９４４７５号公報
【発明の概要】
【発明が解決しようとする課題】
【０００５】
しかしながら、一時停止中に全白画像を表示するプロジェクターでは、それまでどのような画像が投写されていたのか、どこまで進んでいたのかといったこと分からなくなってしまうことがあり、ユーザーや視聴者が戸惑う場合があった。また、特許文献１のプロジェクターでは、停止中である旨を示す案内画像が表示されるため、やはり、どのような画像がどこまで投写されていたのか分からなくなり、不便な場合があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像情報に応じて画像を投写するプロジェクターであって、前記画像情報に基づく画像を投写する画像投写部と、前記プロジェクターの周辺照度を検出する照度検出部と、前記画像情報を保持する画像保持部と、前記画像情報に対して画像処理を施す画像処理部と、操作を受け付ける操作受付部と、制御部と、を有し、前記制御部は、前記操作受付部が所定の操作を受け付けると、前記所定の操作を受け付けた際の前記画像情報を保持画像情報として前記画像保持部に保持させて、前記照度検出部が検出した周辺照度が所定の照度以上の場合には、前記保持画像情報に応じた第１の画像を画像投写部に投写させ、前記周辺照度が前記所定の照度未満の場合には、前記画像処理部に、前記保持画像情報を含んで且つ前記保持画像情報よりも輝度が高い第２の画像情報を生成させ、当該第２の画像情報に応じた第２の画像を画像投写部に投写させることを特徴とする。
【０００８】
このようなプロジェクターによれば、照度検出部は、プロジェクターの周辺照度を検出する。画像保持部は、画像情報を保持する。画像処理部は、画像情報に画像処理を施す。制御部は、所定の操作を受け付けた際に、画像保持部に保持画像情報を保持させて、周辺照度が所定の照度以上の場合には、保持画像情報に応じた第１の画像を投写させ、周辺照度が所定の照度未満の場合には、保持画像情報を含んで且つ保持画像情報よりも輝度が高い第２の画像情報を画像処理部に生成させて投写させる。これにより、休止操作等の所定の操作がなされた際に、プロジェクターの周辺照度が所定の照度未満の場合には、画像光を照明として使うことが可能となる。また、周辺照度が所定の照度以上の場合には、画像光を照明として使用する必要がないため、第１の画像が表示される。さらに、第２の画像には保持画像情報を含んでいるため、所定の操作がなされたときに、ユーザーは、どのような画像が投写されており、どこまで進んでいたのかを認識することができる。
【０００９】
［適用例２］上記適用例に係るプロジェクターにおいて、前記第２の画像情報には、前記保持画像情報が縮小されて含まれていることを特徴とする。
【００１０】
このようなプロジェクターによれば、第２の画像情報には、保持画像情報が縮小されて含まれている。これにより、保持画像情報以外の画像領域の画像光を照明として使うことが可能となる。さらに、第２の画像には縮小された保持画像情報を含んでいるため、ユーザーは、どのような画像が投写されており、どこまで進んでいたのかを認識することができる。
【００１１】
［適用例３］上記適用例に係るプロジェクターにおいて、前記制御部は、前記第１の画像を投写している状態において、前記照度検出部が検出した周辺照度が前記所定の照度未満となった場合、前記第１の画像に替えて前記第２の画像を画像投写部に投写させ、前記第２の画像を投写している状態において、前記照度検出部が検出した周辺照度が前記所定の照度以上となった場合、前記第２の画像に替えて前記第１の画像を画像投写部に投写させることを特徴とする。
【００１２】
このようなプロジェクターによれば、制御部は、第１の画像を投写している状態において、所定の照度未満となった場合、第１の画像に替えて第２の画像を投写させ、第２の画像を投写している状態において、所定の照度以上となった場合、第２の画像に替えて第１の画像を投写させる。これにより、プロジェクターは、周辺照度に応じて、第１の画像を投写している状態と第２の画像を投写している状態とに切り替わるため、周辺照度が所定の照度未満になったときには、画像光を照明として使うことが可能となる。
【００１３】
［適用例４］上記適用例に係るプロジェクターにおいて、前記第１の画像および前記第２の画像には、休止中である旨を表す画像が含まれていることを特徴とする。
【００１４】
このようなプロジェクターによれば、第１の画像および第２の画像には、休止中である旨を表す画像が含まれている。これにより、ユーザーや視聴者は、休止中であることを認識することができる。
【００１５】
［適用例５］上記適用例に係るプロジェクターにおいて、記憶媒体に記憶された画像情報を再生する記憶媒体再生部をさらに有し、前記プロジェクターは、前記記憶媒体再生部によって再生された前記画像情報に基づく画像を投写することを特徴とする。
【００１６】
このようなプロジェクターによれば、記憶媒体に記憶された画像情報を再生することができる。これにより、所定の操作によって、記憶媒体の再生画像を休止することができる。
【００１７】
［適用例６］本適用例に係るプロジェクターの制御方法は、プロジェクターの周辺照度を検出する照度検出部と、画像情報を保持する画像保持部と、操作を受け付ける操作受付部と、を有し、前記画像情報に応じて画像を投写するプロジェクターの制御方法であって、前記操作受付部によって、所定の操作を受け付ける操作受付ステップと、前記操作受付ステップによって、前記所定の操作を受け付けた際の前記画像情報を保持画像情報として前記画像保持部に保持する画像保持ステップと、前記画像保持ステップの後に、前記照度検出部が検出した周辺照度が所定の照度以上の場合に、前記保持画像情報に応じた第１の画像を投写する第１投写ステップと、前記画像保持ステップの後に、前記照度検出部が検出した前記周辺照度が前記所定の照度未満の場合に、前記保持画像情報を含んで且つ前記保持画像情報よりも輝度が高い第２の画像情報を生成させる画像処理ステップと、前記画像処理ステップによって生成された前記第２の画像情報に応じた第２の画像を投写する第２投写ステップと、を備えることを特徴とする。
【００１８】
このようなプロジェクターの制御方法によれば、所定の操作を受け付けた際に、画像保持部に保持画像情報を保持させて、周辺照度が所定の照度以上の場合には、保持画像情報に応じた第１の画像を投写し、周辺照度が所定の照度未満の場合には、保持画像情報を含んで且つ保持画像情報よりも輝度が高い第２の画像情報を画像処理部に生成させて投写させる。これにより、プロジェクターの周辺照度が所定の照度未満の場合には、画像光を照明として使うことが可能となる。さらに、第２の画像には保持画像情報を含んでいるため、休止操作等の所定の操作がなされたときに、ユーザーは、どのような画像が投写されており、どこまで進んでいたのかを認識することができる。
【００１９】
また、上述したプロジェクター、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２０】
【図１】実施形態のプロジェクターの斜視図。
【図２】プロジェクターの概略構成を示すブロック図。
【図３】プロジェクターの状態遷移図。
【図４】状態毎のプロジェクターの投写画像を表す図であり、（ａ）は、通常状態の投写画像を表す図、（ｂ）は、第１の状態の投写画像を表す図、（ｃ）は、第２の状態の投写画像を表す図。
【図５】プロジェクターの通常状態における処理のフローチャート。
【図６】プロジェクターの第１の状態における処理のフローチャート。
【図７】プロジェクターの第２の状態における処理のフローチャート。
【発明を実施するための形態】
【００２１】
（実施形態）
以下、実施形態として、光源から射出された光を画像情報に基づいて変調して光学像を形成し、この光学像を外部のスクリーン等に投写するプロジェクターについて、図面を参照して説明する。
【００２２】
図１は、本実施形態のプロジェクターの斜視図である。
図１に示すように、プロジェクター１は、装置本体を収容する筐体５を備えて構成されており、筐体５の上面５ｔには、ユーザーにより入力操作が行われる操作パネル２１および周辺照度を検出する照度検出部２２が配置されている。筐体５の前面５ｆには、投写レンズ１３が露出されており、この投写レンズ１３から、画像情報に基づく画像が前方の投写面（図１では図示せず）に投写される。
【００２３】
図２は、プロジェクター１の概略構成を示すブロック図である。
図２に示すように、プロジェクター１は、画像投写部１０、制御部２０、操作受付部としての操作パネル２１、照度検出部２２、画像信号入力部３０、記憶媒体再生部としてのＤＶＤ再生部３１、画像信号選択部３２、画像処理部３３、ＯＳＤ処理部３４等を備えており、これらは、筐体５の内部に収容されている。
【００２４】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２５】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２７】
制御部２０は、ＣＰＵ（Central Processing Unit）や、各種データ等の一時記憶に用いられるＲＡＭ、不揮発性のＲＯＭ等を備えており、ＲＯＭに記憶されている制御プログラムに従ってＣＰＵが動作することによりプロジェクター１の動作を統括制御する。つまり、制御部２０は、コンピューターとして機能する。
【００２８】
操作パネル２１は、ユーザーのキー操作を受け付ける操作受付部に相当するものであり、ユーザーがプロジェクター１に対して各種指示を行うための複数の操作キーを備えている。本実施形態の操作パネル２１が備える操作キーとしては、電源のオン・オフを切り替えるための電源キー、入力された画像信号を切り替えるための入力切替キー、各種設定用のメニュー画像を表示させるメニューキー、メニュー画像における項目の選択等に用いられる方向キー、選択した項目を確定させるための決定キー、プロジェクター１の画像投写を一時停止（休止）するための休止キー等がある。
【００２９】
ユーザーが操作パネル２１の各種操作キーを操作すると、操作パネル２１は、この操作を受け付けて、操作された操作キーに対応する制御信号を制御部２０に出力する。そして、制御部２０は、操作パネル２１から制御信号が入力されると、入力された制御信号に基づく処理を行って、プロジェクター１の動作を制御する。なお、操作パネル２１の代わりに、あるいは操作パネル２１とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３０】
照度検出部２２は、フォトダイオード等の照度センサーを有して構成され、プロジェクター１の設置環境における明るさ（周辺照度）を検出する。照度検出部２２は、検出した周辺照度の情報を制御部２０に通知する。
【００３１】
画像信号入力部３０は、複数の入力端子を備えており、これらの入力端子には、ビデオ再生装置やパーソナルコンピューター等、図示しない外部の画像供給装置から各種形式の画像信号が入力される。画像信号入力部３０は、入力された画像信号を画像信号選択部３２に出力する。
【００３２】
ＤＶＤ再生部３１は、記憶媒体としてのＤＶＤメディアＤからデータを読み取って信号処理を行う。ＤＶＤ再生部３１によって信号処理された画像信号は、画像信号選択部３２に出力される。また、ＤＶＤ再生部３１は、制御部２０の指示によって、ＤＶＤメディアＤの再生、一時停止（休止）、停止等を行うことができる。
【００３３】
画像信号選択部３２は、制御部２０からの指示に基づき、画像信号を選択し、選択した画像信号に基づく画像情報を画像処理部３３に出力する。
【００３４】
画像処理部３３は、フレームメモリー３３ａを有しており、画像信号選択部３２から入力される画像情報をフレーム毎に記憶する。また、画像処理部３３は、制御部２０の指示に基づいて、フレームメモリー３３ａの画像情報を保持することができる。このときの画像処理部３３およびフレームメモリー３３ａが、画像保持部に相当し、保持された画像情報が保持画像情報に相当する。
【００３５】
さらに、画像処理部３３は、制御部２０の指示に基づいて、変換した画像情報に対して、明るさ、コントラスト、シャープネス、色合い等の画質を調整するための画質調整処理等を行い、処理後の画像情報をＯＳＤ処理部３４に出力する。また、画像処理部３３は、スケーラー（図示せず）を有しており、画像情報の解像度を変更して画像情報（画像）の拡大、縮小を行うことができる。
【００３６】
ＯＳＤ処理部３４は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３４は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３４は、必要なＯＳＤ画像情報をＯＳＤメモリーから読み出し、入力画像上の所定の位置にＯＳＤ画像が重畳されるように、画像処理部３３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部３４は、画像処理部３３から入力される画像情報を、そのまま液晶駆動部１４に出力する。
【００３７】
液晶駆動部１４は、ＯＳＤ処理部３４から入力される画像情報に従って液晶ライトバルブ１２Ｒ，１２Ｇ，１２Ｂを駆動する。これにより、光源装置１１から射出された光は、液晶ライトバルブ１２Ｒ，１２Ｇ，１２Ｂによって画像情報に応じて変調され、投写レンズ１３から投写される。
【００３８】
次に、プロジェクター１の状態遷移について、状態遷移図および投写画像を用いて説明する。
図３は、本実施形態に係るプロジェクター１の状態遷移図である。図４は、状態毎のプロジェクター１の投写画像を表す図であり、（ａ）は、通常状態の投写画像を表す図、（ｂ）は、第１の状態の投写画像を表す図、（ｃ）は、第２の状態の投写画像を表す図である。
【００３９】
図３に示すように、プロジェクター１は、通常状態ＳＴ１０、第１の状態ＳＴ１１、および第２の状態ＳＴ１２に遷移可能となっている。
【００４０】
通常状態ＳＴ１０は、プロジェクター１が、光源装置１１を点灯し、入力される画像信号に基づく画像を投写している状態である。本実施形態では、図４（ａ）に示すように、入力される画像信号に基づく投写画像Ｇ１として、灰色の画面上に、白い丸形および白い三角形が表示されている。
【００４１】
通常状態ＳＴ１０において、操作パネル２１に備わる休止キーが押下されると、プロジェクター１は、周辺照度が所定の照度以上の場合には、第１の状態ＳＴ１１に遷移する。また、プロジェクター１は、周辺照度が所定の照度未満の場合には、第２の状態ＳＴ１２に遷移する。この休止キーの押下が、所定の操作に相当する。また、本実施形態では、所定の照度とは、人間が暗いと感じる程度の照度とする。
【００４２】
第１の状態ＳＴ１１は、プロジェクター１による投写が一時停止（休止）されており、第１の画像Ｇ２が投写されている状態である。図４（ｂ）に示すように、第１の画像Ｇ２は、休止キーが押下されたときに保持された保持画像情報に応じた保持画像ＳＧ１によって構成されている。本実施形態では、第１の画像Ｇ２には、灰色の画面に、白い丸形および白い三角形が表示されている。さらに、休止状態を表す文字列画像Ｍ１が表示されている。
【００４３】
第１の状態ＳＴ１１において、操作パネル２１に備わる休止キーが押下されると、プロジェクター１は、通常状態ＳＴ１０に遷移する。また、第１の状態ＳＴ１１において、周辺照度が所定の照度未満になった場合には、第２の状態ＳＴ１２に遷移する。
【００４４】
第２の状態ＳＴ１２は、プロジェクター１による投写が一時停止（休止）されており、第２の画像Ｇ３が投写されている状態である。図４（ｃ）に示すように、第２の画像Ｇ３は、休止キーが押下されたときに保持された保持画像情報を縮小した縮小保持画像ＳＧ２を含んで構成されている。本実施形態では、縮小保持画像ＳＧ２は、第２の画像Ｇ３の右下に配置されている。第２の画像Ｇ３の縮小保持画像ＳＧ２以外の画像領域は、白色無地の画像ＷＧ１となっている。そして、休止状態を表す文字列画像Ｍ１が表示されている。なお、縮小保持画像ＳＧ２の配置位置は、右下に限定するものではなく、他の位置でもよい。また、縮小保持画像ＳＧ２の大きさも、図４（ｃ）の大きさに限定するものではない。
【００４５】
第２の状態ＳＴ１２において、操作パネル２１に備わる休止キーが押下されると、プロジェクター１は、通常状態ＳＴ１０に遷移する。また、第２の状態ＳＴ１２において、周辺照度が所定の照度以上になった場合には、第１の状態ＳＴ１１に遷移する。
【００４６】
次に、プロジェクター１の各状態における処理について説明する。
図５は、プロジェクター１の通常状態ＳＴ１０における処理のフローチャートである。
【００４７】
通常状態ＳＴ１０において、プロジェクター１の制御部２０は、休止キーが押下されたか否かを判断する（ステップＳ１０１）。休止キーが押下されていなければ、押下されるのを待つ（ステップＳ１０１：ＮＯ）。なお、本実施形態では記載を省略するが、休止キー以外のキーが押下された場合には、押下キーに対応する処理を行う。
【００４８】
休止キーが押下された場合（ステップＳ１０１：ＹＥＳ）、制御部２０は、画像処理部３３に指示を出して、フレームメモリー３３ａの画像情報を保持画像情報として保持させる（ステップＳ１０２）。ここで、画像信号選択部３２がＤＶＤ再生部３１から入力されるＤＶＤメディアＤの画像信号を選択している場合には、制御部２０は、ＤＶＤ再生部３１にＤＶＤメディアＤの再生を一時停止させる。次に、制御部２０は、照度検出部２２が検出している周辺照度が所定の照度以上か否かを判断する（ステップＳ１０３）。
【００４９】
周辺照度が所定の照度以上であった場合（ステップＳ１０３：ＹＥＳ）、制御部２０は、画像処理部３３に指示を出して、フレームメモリー３３ａに保持されている保持画像情報を全画面に投写する（ステップＳ１０４）。そして、保持画像情報に応じた保持画像ＳＧ１上に、休止状態を表す文字列画像Ｍ１を表示して、第１の画像Ｇ２として投写させる（ステップＳ１０５）。
【００５０】
制御部２０は、プロジェクター１を第１の状態ＳＴ１１に遷移させる（ステップＳ１０６）。そして、通常状態ＳＴ１０における処理を終了する。
【００５１】
周辺照度が所定の照度以上でなかった場合（ステップＳ１０３：ＮＯ）、制御部２０は、画像処理部３３に指示を出して、フレームメモリー３３ａに保持されている保持画像情報を縮小する。具体的には、スケーラーによって画像を縮小する。そして、縮小保持画像ＳＧ２以外の画像領域に白色無地の画像ＷＧ１を表示させる（ステップＳ１０７）。そして、休止状態を表す文字列画像Ｍ１をさらに表示して、第２の画像Ｇ３として投写させる（ステップＳ１０８）。
【００５２】
制御部２０は、プロジェクター１を第２の状態ＳＴ１２に遷移させる（ステップＳ１０９）。そして、通常状態ＳＴ１０における処理を終了する。
【００５３】
図６は、プロジェクター１の第１の状態ＳＴ１１における処理のフローチャートである。
【００５４】
第１の状態ＳＴ１１において、プロジェクター１の制御部２０は、休止キーが押下されたか否かを判断する（ステップＳ２０１）。
【００５５】
休止キーが押下された場合（ステップＳ２０１：ＹＥＳ）、制御部２０は、画像処理部３３に指示を出して、画像信号選択部３２から入力されている通常画像の投写を開始させる（ステップＳ２０２）。制御部２０は、プロジェクター１を通常状態ＳＴ１０に遷移させる（ステップＳ２０３）。そして、第１の状態ＳＴ１１における処理を終了する。
【００５６】
休止キーが押下されていない場合（ステップＳ２０１：ＮＯ）、制御部２０は、照度検出部２２が検出している周辺照度が所定の照度未満か否かを判断する（ステップＳ２０４）。
【００５７】
周辺照度が所定の照度未満であった場合（ステップＳ２０４：ＹＥＳ）、制御部２０は、画像処理部３３に指示を出して、保持画像情報を縮小させる。そして、縮小保持画像ＳＧ２以外の画像領域に白色無地の画像ＷＧ１を表示させる（ステップＳ２０５）。そして、休止状態を表す文字列画像Ｍ１をさらに表示して、第２の画像Ｇ３として投写させる（ステップＳ２０６）。
【００５８】
制御部２０は、プロジェクター１を第２の状態に遷移させる（ステップＳ２０７）。そして、第１の状態ＳＴ１１における処理を終了する。
【００５９】
周辺照度が所定の照度未満でなかった場合（ステップＳ２０４：ＮＯ）、ステップＳ２０１に移行する。なお、本実施形態では記載を省略するが、休止キー以外のキーが押下された場合には、押下キーに対応する処理を行う。
【００６０】
図７は、プロジェクター１の第２の状態ＳＴ１２における処理のフローチャートである。
【００６１】
第２の状態ＳＴ１２において、プロジェクター１の制御部２０は、休止キーが押下されたか否かを判断する（ステップＳ３０１）。
【００６２】
休止キーが押下された場合（ステップＳ３０１：ＹＥＳ）、制御部２０は、画像処理部３３に指示を出して、画像信号選択部３２から入力されている通常画像の投写を開始させる（ステップＳ３０２）。制御部２０は、プロジェクター１を通常状態ＳＴ１０に遷移させる（ステップＳ３０３）。そして、第２の状態ＳＴ１２における処理を終了する。
【００６３】
休止キーが押下されていない場合（ステップＳ３０１：ＮＯ）、制御部２０は、照度検出部２２が検出している周辺照度が所定の照度以上か否かを判断する（ステップＳ３０４）。
【００６４】
周辺照度が所定の照度以上であった場合（ステップＳ３０４：ＹＥＳ）、制御部２０は、画像処理部３３に指示を出して、保持画像情報を全画面に投写させる（ステップＳ３０５）。そして、保持画像情報に応じた保持画像ＳＧ１上に休止状態を表す文字列画像Ｍ１を表示して、第１の画像Ｇ２として投写させる（ステップＳ３０６）。
【００６５】
制御部２０は、プロジェクター１を第１の状態ＳＴ１１に遷移させる（ステップＳ３０７）。そして、第２の状態ＳＴ１２における処理を終了する。
【００６６】
周辺照度が所定の照度以上でなかった場合（ステップＳ３０４：ＮＯ）、ステップＳ３０１に移行する。なお、本実施形態では記載を省略するが、休止キー以外のキーが押下された場合には、押下キーに対応する処理を行う。
【００６７】
上述した実施形態によれば、以下の効果が得られる。
（１）プロジェクター１は、通常状態ＳＴ１０において、休止キーの押下を受け付けると、フレームメモリー３３ａの画像情報を保持し、周辺照度が所定の照度以上の場合には、保持画像ＳＧ１を全画面に表示した第１の画像Ｇ２を投写する第１の状態ＳＴ１１に遷移する。これにより、プロジェクター１を休止した場合にも、ユーザーは、どのような画像が投写されており、どこまで進んでいたかを認識することができるため、有益である。
【００６８】
（２）プロジェクター１は、通常状態ＳＴ１０において、休止キーの押下を受け付けると、フレームメモリー３３ａの画像情報を保持し、周辺照度が所定の照度未満の場合、即ち周辺が暗い場合には、保持画像情報を縮小し、縮小保持画像ＳＧ２以外の画像領域を白色無地の画像ＷＧ１とした第２の画像Ｇ３を投写する第２の状態ＳＴ１２に遷移する。これにより、プロジェクター１の投写光を照明として使うことが可能となるため、ユーザーおよび視聴者は、部屋の照明を明るくすることなく休憩をすることができる。さらに、第２の画像Ｇ３には縮小保持画像ＳＧ２を含んでいるため、ユーザーは、どのような画像が投写されており、どこまで進んでいたのかを認識することができるため、有益である。
【００６９】
（３）プロジェクター１は、第１の状態ＳＴ１１において、所定の照度未満となった場合（即ち周辺が暗くなった場合）、第２の画像Ｇ３を表示する第２の状態に遷移し、第２の状態ＳＴ１２において、所定の照度以上となった場合（即ち周辺が明るくなった場合）、第１の画像Ｇ２を表示する第１の状態ＳＴ１１に遷移する。これにより、プロジェクター１は、休止されている状態において、第１の状態ＳＴ１１と第２の状態ＳＴ１２とに遷移するため、周辺照度が所定の照度未満になったときには、投写光を照明として使うことが可能になる。例えば、ユーザーによって、部屋の照明が点灯や消灯されると、それに応じて、プロジェクター１は、第１の状態ＳＴ１１や第２の状態ＳＴ１２に切り替わるため、部屋が暗くなってしまうことで、ユーザーや視聴者が困惑することを回避できる。
【００７０】
（４）プロジェクター１の第１の画像Ｇ２および第２の画像Ｇ３には、休止状態を表す文字列画像Ｍ１が表示される。これにより、ユーザーや視聴者は、休止中であることを認識することができるため、有益である。
【００７１】
（５）プロジェクター１は、ＤＶＤメディアＤに記憶された画像情報を再生することができる。これにより、休止キーの押下によって、ＤＶＤメディアＤの再生を一時停止することができるため、休止後に再生を再開することが容易になる。
【００７２】
なお、上述した実施形態に限定されず、種々の変更や改良等を加えて実施することが可能である。変形例を以下に述べる。
【００７３】
（変形例１）上記実施形態では、記憶媒体再生部（ＤＶＤ再生部３１）が再生する記憶媒体としてＤＶＤメディアＤを例にして説明しているが、ＤＶＤに限定するものではない。例えば、ＣＤ−ＲＯＭ、Ｂｌｕ−ｒａｙ  Ｄｉｓｃ（登録商標）、光磁気ディスク、ＵＳＢメモリー、不揮発性メモリーカード等の記憶媒体としてもよい。また、プロジェクター１は、携帯情報端末を接続可能として、携帯情報端末から出力される画像情報を入力して投写可能としてもよい。
【００７４】
（変形例２）上記実施形態では、休止キーが押下された際に、フレームメモリー３３ａの画像情報を保持画像情報として保持して、第１の画像Ｇ２または第２の画像Ｇ３を表示するものとした。しかし、ＤＶＤ再生部３１が、ＤＶＤメディアＤの画像情報を再生している場合には、休止キーが押下された際に、保持画像情報の保持を行わず、ＤＶＤ再生部３１が出力する一時停止中の画像情報に基づいた画像を、第１の画像Ｇ２または第２の画像Ｇ３に表示するものとしてもよい。
【００７５】
（変形例３）上記実施形態では、第２の画像Ｇ３の縮小保持画像ＳＧ２以外の画像領域は、白色無地の画像ＷＧ１としたが、白色無地の画像に限定するものではない。第２の画像Ｇ３は、保持画像情報を含み、画像全体として、保持画像情報に応じた画像よりも輝度が高ければよい。また、保持画像情報を縮小せずに画面全体の大きさとして、画像の輝度を上げてもよい。
【００７６】
（変形例４）上記実施形態では、プロジェクター１は、記憶媒体再生部（ＤＶＤ再生部３１）を有するものとしたが、記憶媒体再生部を有しない構成としてもよい。
【００７７】
（変形例５）上記実施形態では、プロジェクター１を例にして説明しているが、プロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、テレビ受信機等に適用することも可能である。
【００７８】
（変形例６）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００７９】
（変形例７）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００８０】
１…プロジェクター、５…筐体、５ｆ…前面、５ｔ…上面、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…操作パネル、２２…照度検出部、３０…画像信号入力部、３１…ＤＶＤ再生部、３２…画像信号選択部、３３…画像処理部、３３ａ…フレームメモリー、３４…ＯＳＤ処理部。
【図１】
2013246286.tif 000003
【図２】
2013246286.tif 000004
【図３】
2013246286.tif 000005
【図４】
2013246286.tif 000006
【図５】
2013246286.tif 000007
【図６】
2013246286.tif 000008
【図７】
2013246286.tif 000009